(57)【要約】      （修正有）【課題】尻栓を露出させ且つ尻栓の損傷や脱落を防止した釣竿の提供。【解決手段】この釣竿は、グリップ４２を有する。グリップ４２は、端面部材４４と、尻栓１０と、保護リング４５と、第１化粧リング４６とを有する。端面部材４４が元節４３の後端部に嵌め合わされている。元節４３の後端部の内側に尻栓１０がねじ込まれる。端面部材４４の外側に保護リング４５が嵌め合わされる。保護リング４５に露出窓６７が設けられ、尻栓１０の後端面２０が露出している。尻栓１０の後端面２０に軸方向２４に延びる溝が形成されている。【選択図】図２
2019097545.tif 000002
【特許請求の範囲】
【請求項１】
元節の後端に設けられた筒状の端面部材と、
上記元節の後端部の内側に軸方向に沿って後端側から先端側に向かって着脱自在に螺合された尻栓と、
上記端面部材の外側に嵌め合わされ、上記元節に螺合された尻栓の上記軸方向の後端側の端面を露出させる露出窓が形成された保護リングとを有し、
上記尻栓の端面の周縁部に、当該端面に開口し且つ上記軸方向に延びる溝が形成されている釣竿。
【請求項２】
上記端面部材の先端面に、上記元節の後端部を囲繞する装飾リングが保持されている請求項１に記載の釣竿。
【請求項３】
上記保護リングは合成ゴムからなり、外径が上記軸方向の先端側から後端側に向かって漸次拡径されている請求項１又は２に記載の釣竿。
【請求項４】
上記端面部材の外周面に突設された係合爪と、上記保護リングの内周面に形成された係合溝とが係合している請求項１から３のいずれかに記載の釣竿。
【請求項５】
上記露出窓は、上記保護リングの側壁の後端に連続し、当該保護リングの径方向に突出した環状壁により区画されている請求項１から４のいずれかに記載の釣竿。
【請求項６】
上記露出窓の内径は、上記尻栓の上記軸方向の後端側の端面の外径より小さく且つ上記溝の底径よりも大きく設定されている請求項１から５のいずれかに記載の釣竿。
【発明の詳細な説明】
【技術分野】
【０００１】
この発明は、釣竿の構造、詳細には釣竿を構成するブランクの後端部に装着された尻栓の取付構造に関するものである。
【背景技術】
【０００２】
釣竿は一般に複数のブランクからなり、これらがテレスコピックを成す振出式に継がれたり、並継ぎその他の既知の継ぎ形式にて継がれる。一般に釣竿は、ブランク内への水分や埃の進入を防ぐために尻栓を備えている。この尻栓は、ブランクのメンテナンスが考慮され、釣竿の後端部に着脱自在に螺合される。従来の尻栓は、釣竿の後端面を封止するだけでなく、当該釣竿の装飾を兼ねることから、釣竿の後端に露出するようにデザインされる。
【０００３】
釣竿がいずれの継ぎ形式を採用しても、釣竿の後端部は、釣人が当該釣竿を把持する際のグリップとして機能する。ターゲットがヒットした場合、釣人は、釣竿の後端部を強く握り、あるいは自身の腹部や腰部に強く押し付けた状態で釣竿を操作する。このような場合、尻栓が釣竿から露出していることから、釣人が意図せずに尻栓が緩んでしまい、釣竿から脱落するおそれがある。そのため、従来では、尻栓にカバーが設けられることもある（たとえば、特許文献１参照）
【先行技術文献】
【特許文献】
【０００４】
【特許文献１】特開２０１５−４２１５８号公報
【発明の概要】
【発明が解決しようとする課題】
【０００５】
このカバーはゴム等で構成され、尻栓を完全に覆う。つまり、特許文献１に開示されたカバーは、敢えて尻栓の装飾機能を捨象し、尻栓の脱落防止を図ったものである。このカバーが設けられることにより、釣人にとっては釣竿の後端部が握りやすくなり、尻栓の脱落も防止される。
【０００６】
しかしながら、尻栓がカバーにより覆われると、当該尻栓の着脱作業が繁雑となる。また、尻栓が釣竿から露出されることによる装飾効果は大きく、やはり尻栓は、釣人から看取できるものであることが望ましい。
【０００７】
そこで、本発明の目的は、尻栓を露出させ且つ尻栓の損傷や脱落を防止したグリップ構造を有する釣竿を提供することである。
【課題を解決するための手段】
【０００８】
(1) 本発明に係る釣竿は、元節の後端に設けられた筒状の端面部材と、上記元節の後端部の内側に軸方向に沿って後端側から先端側に向かって着脱自在に螺合された尻栓と、上記端面部材の外側に嵌め合わされ、上記元節に螺合された尻栓の上記軸方向の後端側の端面を露出させる露出窓が形成された保護リングとを有し、上記尻栓の端面の周縁部に、当該端面に開口し且つ上記軸方向に延びる溝が形成されている。
【０００９】
この構成によれば、保護リングは、端面部材を介して確実に元節の後端部に取り付けられる。尻栓は、保護リングの露出窓から挿通され、元節の後端部の内側にねじ込まれる。この状態で、尻栓の後端側の端面、すなわち後端面は、上記露出窓から露出すると共に、尻栓の周面その他後端面以外の面は、上記保護リングにより覆われる。これにより、実釣において尻栓が釣人の身体と接触することにより緩んでしまうことがない。また、尻栓の後端面に上記溝が形成されているから、釣人は、たとえば鋭利な工具を上記溝に係合させることにより、尻栓を容易に回転させることができる。
【００１０】
(2) 上記端面部材の先端面に、上記元節の後端部を囲繞する装飾リングが保持されているのが好ましい。
【００１１】
この構成では、上記元節の後端部がより装飾される。
【００１２】
(3) 上記保護リングは合成ゴムからなり、外径が上記軸方向の先端側から後端側に向かって漸次拡径されているのが好ましい。
【００１３】
この構成では、釣人にとって元節の後端部が握りやすくなり且つ握り心地が向上する。
【００１４】
(4) 上記端面部材の外周面に突設された係合爪と、上記保護リングの内周面に形成された係合溝とが係合しているのが好ましい。
【００１５】
この構成では、実釣において釣人が激しく釣竿を操作しても、保護リングが容易に端面部材から外れることがない。
【００１６】
(5) 上記露出窓は、上記保護リングの側壁の後端に連続し、当該保護リングの径方向に突出した環状壁により区画されているのが好ましい。
【００１７】
この構成では、上記環状壁が保護リングの側壁の後端に径方向内側に突出したフランジを構成し、当該保護リングの一定の剛性を確保しつつ上記露出窓を区画する。これにより、保護リングの過度な弾性変形が抑えられ、上記尻栓の着脱作業が容易になる。
【００１８】
(6) 上記露出窓の内径は、上記尻栓の上記軸方向の後端側の端面の外径より小さく且つ上記溝の底径よりも大きく設定されているのが好ましい。
【００１９】
この構成では、上記溝が露出したまま尻栓がより確実に保護リングによって保持される。これにより、尻栓の着脱作業の容易性が維持されたまま、尻栓の緩みが確実に防止される。
【発明の効果】
【００２０】
この発明によれば、尻栓の後端面が露出することにより、尻栓の装飾効果が発揮される。しかも、当該尻栓の後端面以外の面が保護リングにより被覆されるから、実釣において尻栓が釣人の身体と接触することにより緩んでしまうことがない。したがって、尻栓の損傷や脱落が防止される。加えて、釣人は、尻栓の溝に工具等を係合させることにより、尻栓を容易に着脱することができる。
【図面の簡単な説明】
【００２１】
【図１】図１は、本発明の一実施形態に係る釣竿４０の要部拡大図である。
【図２】図２は、図１におけるII−II断面図である。
【図３】図３は、本発明の一実施形態に係る釣竿４０の保護リング４５の拡大断面図である。
【図４】図４は、本発明の一実施形態に係る釣竿４０の尻栓１０の外観斜視図である。
【図５】図５は、尻栓１０の外観斜視図である。
【図６】図６は、本発明の一実施形態に係る釣竿４０のグリップ４２の後端部の拡大斜視図である。
【図７】図７は、尻栓１０の正面図である。
【図８】図８は、尻栓１０の右側面図である。
【図９】図９は、尻栓１０の左側面図である。
【図１０】図１０は、尻栓１０の縦断面図である。
【図１１】図１１は、他の実施形態に係る尻栓８０の縦断面図である。
【発明を実施するための形態】
【００２２】
以下、本発明の好ましい実施形態が、適宜図面が参照されながら説明される。なお、本実施の形態は、本発明に係る釣竿の一態様にすぎず、本発明の要旨を変更しない範囲で実施態様が変更されてもよいことは言うまでもない。
【００２３】
図１は、本発明の一実施形態に係る釣竿４０の要部拡大図である。図２は、図１におけるII−II断面図である。
【００２４】
１．概略構成及びポイント
【００２５】
この釣竿４０は、釣竿本体４１と、これに設けられたグリップ４２とを有する。釣竿本体４１は、複数のブランクを備え、これらが軸方向２４（釣竿本体４１の中心軸２５に沿う方向）にいわゆる振出式に継がれている。釣竿本体４１を構成する各ブランクは、釣竿本体４１の先端側から順に第１番節、第２番節と称され、最も後端側のブランクが元節４３と称される。
【００２６】
図１及び図２が示すように、グリップ４２は、元節４３に取り付けられた被覆チューブ５１と、元節４３の後端部の外側に嵌め合わされた端面部材４４と、元節４３の内側に設けられた尻栓１０と、保護リング４５と、第１化粧リング４６（特許請求の範囲に記載された「装飾リング」に相当）及び第２化粧リング４７とを有する。元節４３の後端部の内壁面６０に雌ネジ６１が形成されている。この雌ネジ６１は、後述される尻栓１０の雄ネジ１４と螺合するようになっている。被覆チューブ５１は、いわゆるカーボンパイプからなり、ＥＶＡテープ４９を介して元節４３に貼り付けられ、元節４３の外周面を囲繞している。第１化粧リング４６は、円筒形を形成され、典型的には、アルマイト処理されたアルミニウム合金からなる。第１化粧リング４６は、被覆チューブ５１の後ろ側５２に嵌め込まれている。第２化粧リング４７は、典型的には、アルマイト処理されたアルミニウム合金からなり、元節４３の外側に嵌め込まれ、被覆チューブ５１の前端と接している。
【００２７】
本実施形態に係る釣竿４０の特徴とするところは、グリップ４２の構造であり、前述のように元節４３の内側に尻栓１０がねじ込まれている点、元節４３の後端部に端面部材４４が設けられ、この端面部材４４の外側に保護リング４５が嵌め合わされている点、保護リング４５に露出窓６７が設けられ、尻栓１０の後端面２０が露出している点、及び当該後端面２０に軸方向２４に延びる溝３１が形成されている点である。
【００２８】
２．端面部材
【００２９】
図２が示すように、端面部材４４は、円筒状に形成されており、本実施形態では樹脂（好ましくは炭素繊維により強化された熱硬化性樹脂）からなる。端面部材４４は、前側５０から後ろ側５２に向かって順に基部５３、中央部５４及び係合部５５を有し、これらが一体的に形成されている。基部５３及び係合部５５は、円盤状を呈し、中央部５４を基準にして径方向外側に突出している。前述のように、端面部材４４の内側に元節４３が挿入されている。
【００３０】
基部５３の前端面５６に被覆チューブ５１の後端面４８が突き合わされている。もっとも、被覆チューブ５１は、ＥＶＡテープ４９と共に省略されていてもよい。基部５３の前端面５６に溝５７が設けられている。この溝５７は、中心軸２５を中心とする円形をなし、所定の深さに設定されている。第１化粧リング４６は、この溝５７に挿入され、固定されている。なお、第１化粧リング４６及び溝５７が省略されてもよい。前述のように、上記係合部５５は径方向外側に突出しており、この突出した部分により係合爪５８が構成されている。この係合爪５８は、後述される係合溝５９に嵌め合わされるようになっている。上記中央部５４は、軸方向２４沿って真直に延びる円筒状に形成されている。
【００３１】
３．保護リング
【００３２】
図３は、保護リング４５の拡大断面図である。
【００３３】
保護リング４５は、本実施形態では合成ゴム（典型的には、アクリロニトリルブタジエンゴム（ＮＢＲ））からなり、円筒状に形成されている。図２及び図３が示すように、保護リング４５の内径Ｅは、端面部材４４の中央部５４の外径に対応している。保護リング４５の前端面６２は、端面部材４４の基部５３の後端面６３に当接する。この後端面６３の外径は、上記前端面６２の外径に対応している。保護リング４５の内壁面６４に上記係合溝５９が形成されている。図３が示すように、溝５９は、中心軸２５を中心として上記内壁面６４を周回している。この溝５９の底面６５の内径は、端面部材４４の係合爪５８の外径に対応している。
【００３４】
保護リング４５の側壁６９は、図２及び図３が示すように、その外径が前端面６２側から後端面６６側に向かって漸次拡大しており、保護リング４５の外形形状は、外側に向かって膨らんでいる。保護リング４５の側壁６９は、所定位置６８においてもっとも外側に膨出しており、当該所定位置６８から後ろ側５２に向かって、外径が縮小している。保護リング４５の後端面６６に貫通孔６７が設けられている。この貫通孔６７は、後に詳述されるように、尻栓１０を露出させるものである。本明細書において、この貫通孔６７は、露出窓６７と称される。
【００３５】
本実施形態では、上記露出窓６７は、上記後端面６６に形成された環状壁６８により区画されている。すなわち、環状壁６８は、保護リング４５の側壁６９の後端に連続しており、径方向に突出している。つまり、環状壁６８は、側壁６９から内側に延びるフランジを形成しており、環状壁６８の内周面により上記露出窓６７が区画されている。露出窓６７の内径Ｆは、尻栓１０の外径（具体的には、尻栓１０のフランジ１６の外径）に対応して所定寸法に設定されている。この所定寸法Ｆについては、後述される。
【００３６】
４．尻栓
【００３７】
図４及び図５は、尻栓１０の外観斜視図である。図６は、グリップ４２の後端部の拡大斜視図である。
【００３８】
尻栓１０は、尻栓本体１１と、これに取り付けられたパッド１２と、キャップ１３とを備えている。尻栓本体１１に雄ネジ１４が形成されている。前述のように、この雄ネジ１４が元節４３（図２参照）に螺合することにより、尻栓１０が元節４３に装着される。図６が示すように、尻栓１０が元節４３に装着された状態で、後端面２０が露出している。
【００３９】
図７〜図９は、順に尻栓１０の正面図、右側面図、左側面図であり、図１０は、尻栓１０の縦断面図である。
【００４０】
図４、図５及び図７が示すように、尻栓本体１１は、主栓部１５及びフランジ１６と、Ｏリング１７とを有する。主栓部１５及びフランジ１６は金属（典型的にはアルミニウム合金）からなり、一体的に形成されている。なお、主栓部１５及びフランジ１６は、樹脂により成形されていてもよい。
【００４１】
図４及び図１０が示すように、主栓部１５は、円筒状を呈する。主栓部１５の外周面に上記雄ネジ１４が形成されている。主栓部１５の外径は特に限定されるものではなく、上記元節４３の後端部の内径に対応して適宜設計される。また、主栓部１５の内径も特に限定されないが、主栓部１５の内径が大きく設定されることにより、尻栓１０が軽量化される。
【００４２】
主栓部１５の後端部にフランジ１６が一体的に形成されている。このフランジ１６と主栓部１５との境界に、当該主栓部１５の外周面を周回する溝が形成されている。この溝に上記Ｏリング１７が嵌め込まれている。このＯリング１７は、剛性ゴム等から構成され、汎用品が採用される。
【００４３】
フランジ１６は、円盤状に形成されている。フランジ１６の外径は特に限定されるものではなく、主栓部１５の外径に対応して適宜設計される。ただし、主栓部１５にＯリング１７が装着された場合に、当該Ｏリング１７の外径よりもフランジ１６の外径が大きくなるように設定される。フランジ１６の肉厚Ｂは、本実施形態では４．３ｍｍに設定されている。ただし、フランジ１６は、前述のように元節の後端部に収容されるものであるから、肉厚Ｂは、２．０ｍｍ〜１０．０ｍｍの範囲で適宜設定され得る。フランジ１６の角部に面取加工が施されている。本実施形態ではＲ面加工が施されているが、Ｃ面加工であってもよいし、面取加工が省略されてもよい。
【００４４】
フランジ１６の後端面２０に円形の凹部２１が設けられている。この凹部２１は、大径部２２と小径部２３とを有しており、これらは軸方向２４（図１０において、尻栓１０の中心軸２５に沿う方向）に沿って連続している。大径部２２は、フランジ１６の後端面２０に開口している。大径部２２の内径は、軸方向２４の後端側から先端側に向かって漸次縮径されている。つまり、大径部２２の内壁面形状は、台形状を呈する。小径部２３は、大径部２２に連続し、軸方向２４の先端側へ延びている。小径部２２は底面２６を有し、この底面２６は、円形の平坦面である。凹部２１の深さＤ（後端面２０から底面２６までの距離）は、特に限定されるものではないが、本実施形態では１．５ｍｍ程度に設定される。
【００４５】
図４及び図８が示すように、フランジ１６の周縁３０に複数の溝３１が設けられている。この溝３１は、フランジ１６の周方向に均等に６カ所に配置されている。各溝３１は、フランジ１６の後端面２０（特許請求の範囲に記載された「軸方向の後端側の端面」に相当）に開口し、軸方向２４に延びている。本実施形態では６つの溝３１が設けられているが、溝３１の数は特に制限されることはなく、２つ以上であればよい。溝３１の内壁面３２は、円弧を成す曲面である。本実施形態では、内壁面３２の曲率半径は１．２５ｍｍに設定されており、フランジ１６の径方向に凹んでいる。上記内壁面３２の曲率半径は、０．５ｍｍ〜５．０ｍｍの範囲で適宜設定され得る。なお、溝３１の内壁面３２の形状は、円弧状の曲面に限定されるものではなく、たとえば、矩形状に形成されていてもよい。
【００４６】
図４、図８、図１０が示すように、パッド１２は、円盤状を呈し、樹脂（典型的にはポリプロピレン（ＰＰ）、ポリアミド（ＰＡ）、ポリオキシメチレン（ＰＯＭ）、アクリロニトリルブタジエンスチレン共重合体（ＡＢＳ））又は金属から構成される。パッド１２は、先端面２７及び後端面２８を有し、先端面２７は平面であり、後端面２８は、外方に膨出する曲面である。パッド１２の外径は、凹部２１の小径部２３の内径に対応している。パッド１２の後端面２８の中心２９は上記中心軸２５と一致し、先端面２７を基準として、上記中心２９の位置においてパッド１２の高さが最大となる。パッド１２の最大高さは、凹部２１の深さＤよりも大きく設定されている。このパッド１２は、図１０が示すように、凹部２１に嵌め込まれている。具体的には、パッド１２が上記小径部２３に嵌め合わされ、パッド１２の先端面１７が小径部２３の底面２６に固着されている。パッド１２の中心２９は、当該パッド１２の頂点となり、本実施形態では、パッド１２の中心２９は、フランジ１６の後端面２０より０．５ｍｍ〜２．０ｍｍだけ後端側に突出する（図７、図１０参照）。
【００４７】
図５、図９、図１０が示すように、キャップ１３は、主栓部１５に嵌め込まれている。キャップ１３は段付き円柱状を呈し、アクリロニトリルブタジエンゴム（ＮＢＲ）その他のゴム又は樹脂からなる。もっとも、キャップ１３が金属から構成されていてもよい。図１０が示すように、キャップ１３は、主栓部１５に挿入される小径部７２と、これに連続する大径部７３とを有し、これらは一体的に形成されている。大径部７３の外径は、主栓部１５の外径に対応している。
【００４８】
キャップ１３の中心に貫通孔３５が設けられている。貫通孔３５は、水抜き孔として機能する。キャップ１３が設けられることにより、たとえば、釣竿を構成する各節が振出式にて継がれる場合、釣竿が収納状態のときは、元節４３以外の各節の後端がキャップ１３に当接する。つまり、キャップ１３は、各節の座として機能する。したがって、キャップ１３がゴムや樹脂から構成されるならば、各節の損傷が防止される。なお、キャップ１３は、省略されてもよい。
【００４９】
キャップ１３は、他の構造であってもよい。図１１は、他の実施形態に係る尻栓８０の縦断面図である。
【００５０】
同図が示すように、尻栓８０の主栓部１５は、縮径された先端部１８を有する。この先端部１８に雄ネジ１４は形成されておらず、段部１９が形成されている。尻栓８０は、キャップ８３を備えており、このキャップ８３は、主栓部１５の先端部１８に被せられている。キャップ８３はトレイ状に形成され、上記キャップ１３と同様にＮＢＲその他のゴム又は樹脂あるいは金属からなる。キャップ８３は、円形の主板部３３及び立板部３４を有し、これらは一体的に形成されている。立板部３４は、円筒状に形成されており、主板部３３の周縁に連続して立設されている。同図が示すように、立板部３４の内径は、主栓部１５の先端部１８の外径に対応している。この先端部１８に立板部３４が外嵌されることにより、キャップ１３が主栓部１５の先端側に取り付けられる。主板部３３の中心に貫通孔８５が設けられている。これにより、主板部３３が容易に弾性変形することができ、たとえば、元節４３以外の各節の後端がキャップ１３にソフトに支持されるという利点がある。
【００５１】
５．作用効果
【００５２】
図２が示すように、尻栓１０は、キャップ１３が設けられた側（図４参照）から前側５０に向かって保護リング４５の露出窓６７から挿通される。尻栓１０の主栓部１５は、元節４３にねじ込まれる。図６が示すように、尻栓１０の後端面２０は、露出窓６７から露出し、尻栓１０の後端面２０以外の面は、保護リング４５により覆われる。このように、尻栓１０の後端面２０が露出することにより、尻栓１０によって釣竿４０（特にグリップ４２の後端部）が装飾される。しかも、尻栓１０は、保護リング４５により被覆されるから、実釣において尻栓１０が釣人の身体と接触することにより緩んでしまうことがない。
【００５３】
本実施形態では、端面部材４４に隣接して第１化粧リング４６が設けられているので、元節４３の後端部がより装飾されるという利点がある。
【００５４】
また、保護リング４５はＮＢＲからなり、外形形状が前端面５６から後端面６６に向かって膨らんでいるので、釣人にとってグリップ４２が握りやすく且つ握り心地が向上する。
【００５５】
さらに、端面部材４４に設けられた係合爪５８が保護リング４５に形成された係合溝５９に嵌め合わされているので、実釣において釣人が激しく釣竿４０を操作しても、保護リング４５が容易に端面部材４４から外れることがない。
【００５６】
図２が示すように、尻栓１０の主栓部１５は、元節４３にねじ込まれる。主栓部１５にＯリング１７が設けられているから、元節４３の防水が行われ、主栓部１５の緩み止めが行われる。このとき、尻栓１０のフランジ１６は、保護リング４５の内側に収容されるが、フランジ１６の周縁３０に溝３１が形成されているから、当該溝３１も露出窓６７から露出する。釣人は、露出した溝３１に所要の工具を引っ掛けることにより、尻栓１０を回して容易に元節４３から取り外すことができる。しかも、フランジ１６が元節４３から露出することにより、尻栓１０が釣竿４０の石突として機能する。つまり、釣竿４０の後端を釣り場に載置したときに、フランジ１６の後端面２０が当接する。
【００５７】
本実施形態では、図２及び図６が示すように、径方向に突出する環状壁６８が形成されることにより、保護リング４５の一定の剛性を確保しつつ露出窓６７が区画される。したがって、尻栓１０の着脱時に保護リング４５の過度な弾性変形が抑えられ、尻栓１０の着脱作業が容易になるという利点がある。さらに、本実施形態では、前述のように、露出窓６７の内径Ｆ（図３参照）は所定寸法に設定されている。具体的には、内径Ｆは、尻栓１０の後端面２０外径より小さく設定されている。同時に内径Ｆは、尻栓１０に設けられた溝３１の底径Ｈ（図８参照）よりも大きく設定されている。内径Ｆがかかる寸法に設定されたとしても、尻栓１０の溝３１は露出したままであるから、尻栓１０の着脱作業の容易性は維持されつつ、より確実に尻栓１０が保護リング４５によって保持され、尻栓１０の緩み止めがなされる。
【００５８】
また、本実施形態では、尻栓１０のフランジ１６（図２、図４参照）が円盤状を呈し、溝３１の内壁面３２が円弧面であるから、フランジ１６がシンプルな形状となり、尻栓１０の構造が簡略化される。しかも、溝３１の形状もシンプルであり、尻栓１０の製造コストが抑えられる。
【００５９】
溝３１は、フランジ１６周縁３０に均等に配置されているから、工具を使った尻栓１０の着脱作業が簡単になる。また、各溝３１が尻栓１０の見栄えを一層向上させる。
【００６０】
フランジ１６の後端面２０からパッド１２が突出しているので、尻栓１０が石突として機能する場合、パッド１２が釣り場と接触する。つまり、フランジ１６が直接に岩礁等と接触することが防止される。これにより、フランジ１６の損傷が回避され、尻栓１０の装飾機能が維持される。
【００６１】
特に、フランジ１６の後端面２０に露出するパッド１２の後端面２８は、フランジ１６の中心２９を頂点とする曲面であるから、パッド１２も傷がつきにくくなる。したがって、尻栓１０の装飾機能が一層維持される。
【００６２】
また、フランジ１６が金属からなり、パッド１２が樹脂から構成されることにより、尻栓１０の装飾的効果は、一層向上する。
【符号の説明】
【００６３】
４０・・・釣竿
４１・・・釣竿本体
４２・・・グリップ
４３・・・元節
４４・・・端面部材
４５・・・保護リング
４６・・・第１化粧リング
４８・・・後端面
５０・・・前側
５２・・・後ろ側
５３・・・基部
５４・・・中央部
５５・・・係合部
５６・・・前端面
５７・・・溝
５８・・・係合爪
５９・・・係合溝
６０・・・内壁面
６１・・・雌ネジ
６２・・・前端面
６３・・・後端面
６４・・・内壁面
６６・・・後端面
６７・・・露出窓
【図１】
2019097545.tif 000003
【図２】
2019097545.tif 000004
【図３】
2019097545.tif 000005
【図４】
2019097545.tif 000006
【図５】
2019097545.tif 000007
【図６】
2019097545.tif 000008
【図７】
2019097545.tif 000009
【図８】
2019097545.tif 000010
【図９】
2019097545.tif 000011
【図１０】
2019097545.tif 000012
【図１１】
2019097545.tif 000013